(57)【特許請求の範囲】
【請求項１】
空気吹出ヘッド（１）と、第１，２のアーム（７，８）と、空気供給口（１１）と、バネ（６）とから構成される空気吹出装置であって、
前記空気吹出ヘッド（１）は中空円柱形状の空気吹出ヘッドであって、前記中空円柱形状における一方の側端面に空気供給側の開口部を有し、また前記中空円柱形状における円柱面に空気吹出側の開口部を有し、前記空気吹出側の開口部を挟んで前記中空円柱形状における一方の側に第１のセットカラー（２）と他方の側に第２のセットカラー（３）を有し、
前記第１，２のアーム（７，８）は、作動位置と退避位置に回動可能にフレームによって支持され、その回動先端部分において前記中空円柱形状の空気吹出ヘッド（１）をその軸方向に移動可能に支持し、
前記空気供給口（１１）は、前記フレームに固定された中空の空気供給口であって、一方を空気供給ホースに接続されるべく設けられた第１の接続端と、他方を前記空気吹出ヘッド（１）の空気供給側に嵌合されるべく設けられた第２の接続端とを有し、
前記バネ（６）は、前記第２のアーム（８）と前記第２のセットカラー（３）との間に設けられ、前記中空円柱形状の空気吹出ヘッド（１）を前記空気供給側に負勢し、前記第１のセットカラー（２）は、前記第１のアーム（７）の側面に当接して前記バネ（６）による前記空気供給口側への前記空気吹出ヘッド（１）の移動を制限する、
ことを特徴とする空気吹出装置。
【請求項２】
前記空気吹出ヘッドに設けられた前記第１のセットカラーと前記第２のセットカラーの位置を調節する構造を有することを特徴とする請求項１記載の空気吹出装置。
【請求項３】
前記第１，２のアームは前記中空円柱形状の空気吹出ヘッドを、その軸の周りに回転可能に支持するボールプランジャを有することを特徴とする請求項１または２記載の空気吹出装置。
【請求項４】
前記作動位置において前記第１，２のアームの移動を停止するストッパーを有することを特徴とする請求項１〜３のいずれかに記載の空気吹出装置。
【発明の詳細な説明】
【０００１】
【産業上の利用分野】
本発明は、加工機械、材料、被加工物を部分的に温度調節する目的で空気を吹き出す空気吹出装置に関する。例えば、オフセット印刷機のインキ装置の温度調節のために印刷時は最適な作動位置においてインキ装置に温調空気を吹き出し、印刷後のインキ装置の清掃時には退避位置において清掃をやり易くするというように、状況に応じて作動位置と退避位置に人手で容易に移動が行えるように構成された空気吹出装置に関する。
【０００２】
【従来の技術】
例えば、特殊なインキを使用するためにオフセット印刷機のインキ装置のインキ壺の温度を室温よりも高い所定の温度に保ちたい場合において、そのインキ壺に部分的に温度調節を行った空気を吹き出し温度制御を行うことが行われる。
従来においては、温度調節を行った空気を吹き出す空気吹出装置は、印刷機のフレームにボルト締め等により固定されており、空気吹出ヘッドも押しネジ、割りにより固定されていた。また空気を供給するホースと空気吹出ヘッドとは、ネジ止め、ホースバンド止め等によって固定されていた。
【０００３】
【発明が解決しようとする課題】
上記のように空気吹出装置はフレームにボルト締め等により固定され、その構成部分である空気吹出ヘッドも固定されているため、空気の吹き出し方向を変えたいような場合においても簡単には変えられず、工具等を使用する必要があった。また、清掃等のため空気吹出ヘッドを移動したいような場合においては、さらに空気供給のためのホースが空気吹出ヘッドに固定されている部分を分解することが必要であった。
そこで本発明の目的は、空気の吹き出し方向の変更や、空気吹出ヘッドの移動が容易な空気吹出装置を提供することにある。
【０００４】
【課題を解決するための手段】
上記の目的は下記の本発明によって達成される。即ち、本発明は、空気吹出ヘッド（１）と、第１，２のアーム（７，８）と、空気供給口（１１）と、バネ（６）とから構成される空気吹出装置であって、前記空気吹出ヘッド（１）は中空円柱形状の空気吹出ヘッドであって、前記中空円柱形状における一方の側端面に空気供給側の開口部を有し、また前記中空円柱形状における円柱面に空気吹出側の開口部を有し、前記空気吹出側の開口部を挟んで前記中空円柱形状における一方の側に第１のセットカラー（２）と他方の側に第２のセットカラー（３）を有し、前記第１，２のアーム（７，８）は、作動位置と退避位置に回動可能にフレームによって支持され、その回動先端部分において前記中空円柱形状の空気吹出ヘッド（１）をその軸方向に移動可能に支持し、前記空気供給口（１１）は、前記フレームに固定された中空の空気供給口であって、一方を空気供給ホースに接続されるべく設けられた第１の接続端と、他方を前記空気吹出ヘッド（１）の空気供給側に嵌合されるべく設けられた第２の接続端とを有し、前記バネ（６）は、前記第２のアーム（８）と前記第２のセットカラー（３）との間に設けられ、前記中空円柱形状の空気吹出ヘッド（１）を前記空気供給側に負勢し、前記第１のセットカラー（２）は、前記第１のアーム（７）の側面に当接して前記バネ（６）による前記空気供給口側への前記空気吹出ヘッド（１）の移動を制限するようにした空気吹出装置である。また本発明は、前記空気吹出ヘッドに設けられた前記第１のセットカラーと前記第２のセットカラーの位置を調節する構造を有するようにした空気吹出装置である。また本発明は前記第１，２のアームは前記中空円柱形状の空気吹出ヘッドを、その軸の周りに回転可能に支持するボールプランジャを有するようにした空気吹出装置である。また本発明は前記作動位置において前記第１，２のアームの移動を停止するストッパーを有するようにした空気吹出装置である。
【０００５】
【作用】
本発明の空気吹出装置によれば、空気供給口には第１の接続端と第２の接続端が設けられフレームに固定され空気供給口は中空であるから、その第１の接続端に空気供給ホースを接続し、またその第２の接続端に空気吹出ヘッドの空気供給側の開口部を嵌合することによって、フレームの外側の空気供給ホースから空気を供給してフレームの内側の空気吹出ヘッドに空気が供給される。そして空気吹出ヘッドは空気吹出側の開口部を有するから、その空気吹出側の開口部から空気が吹き出す。
また、アームは空気吹出ヘッドを軸方向に移動可能に支持し、空気吹出ヘッドには第１のセットカラーと第２のセットカラーが設けられている。アームと第２のセットカラーの間に設けられたバネにより空気吹出ヘッドは軸方向に負勢され、空気吹出ヘッドは空気供給口方向に移動するが、第１のセットカラーはアームの側面に当接し軸方向の移動を制限する。したがって、空気吹出ヘッドの空気供給側の開口部と空気供給口の第２の接続端はバネに負勢されたことにより確実に嵌合するとともに、軸方向の移動は制限されているから過剰な力が両者の間に働くことはない。
さらにアームは作動位置と退避位置に回動可能にフレームによって支持されており、人手によって空気供給ヘッドはバネの負勢に対抗して軸方向に移動され嵌合が外され、空気供給ヘッドは作動位置から退避位置に回動される。
【０００６】
また本発明の空気吹出装置によれば、空気吹出ヘッドに設けられた第１のセットカラーと第２のセットカラーの位置を調節する構造を有しており、第１のセットカラーの位置を調節することによって空気吹出ヘッドの移動を制限する範囲が調節され、第２のセットカラーの位置を調節することによってバネによって負勢する力が調節され空気吹出ヘッドの空気供給側の開口部と空気供給口の第２の接続端を嵌合する力が適正にされる。
また本発明の空気吹出装置によれば、アームによって空気吹出ヘッドを支持する部分にボールプランジャーが設けられており、空気吹出ヘッドは軸と平行方向に移動可能であるのみならず、軸の周りに回転可能に支持されている。したがって、空気吹出方向は人手のみによって調節される。
また本発明の空気吹出装置によれば、作動位置においてアームの移動を停止するストッパーを有しており、空気吹出ヘッドの空気供給側の開口部と空気供給口の第２の接続端の嵌合を着脱する作業において、アームをストッパーに押しつけることによりアームが位置決めされ固定される。したがって、作業が容易となる。
【０００７】
【実施例】
次に、本発明について好適な実施例に基づき説明する。図１は本発明の空気吹出装置の正面図である。図１において、１は空気供給側と空気吹出側に開口部を有する空気吹出ヘッド、２，３は空気吹出ヘッド１に設けられた第１のセットカラーと第２のセットカラー、４，５は支点軸においてアームを位置決めする第３のセットカラーと第４のセットカラー、６はその両端部が第２のセットカラー３と第２のアーム３の側面に接する圧縮バネ、７，８は空気吹出ヘッドを軸方向に移動可能に支持し、作動位置と退避位置に回動可能にフレームによって支持された第１のアームと第２のアーム、９は空気吹出装置によって温度調節される被温調物、１１は一方を空気供給ホースに接続され他方を空気吹出ヘッドの空気供給側の開口部に嵌合する中空の空気供給口、１２は第１のアーム７と第２のアーム８を組付け固定するステー、１３は第１，２のアームが回動する支点軸、１４，１５は空気吹出装置を取りつける装置の機械側と人間側に設けられた第１のフレームと第２のフレーム、である。
【０００８】
また図２は本発明の空気吹出装置の側面図である。図２において図１と同一の部分には同一の番号が付してある。以下本発明を説明する図の全てにおいて同様とする。図２において、１０は第２のアーム８に取りつけられた空気吹出ヘッド１を軸と平行方向及び軸の周りに回転する方向に移動回転可能なように支持するボールプランジャー、１６は作動位置におて第１，２のアームの移動を停止するストッパー、１７は被温調物９の空気を吹きつける部分の温調ポイント、また矢印は空気吹出装置を取りつけた装置において温調物９を清掃等のため引き出す方向を示している。
また、図３は空気吹出ヘッドの空気供給側の開口部と空気供給口の接続部の構造を示す図である。図３において１は空気吹出ヘッド、１１は空気供給口、１８は両者を接続するテーパー穴、１９は第１のセットカラーを空気吹出ヘッド１に固定する第１の固定ネジである。
また、図４は第２のセットカラー３、第２のアーム８、圧縮バネ６、およびボールプランジャー１０等で構成される部分を示す図である。図４において、２０は第２のセットカラーを空気吹出ヘッド１に固定する第１の固定ネジである。
【０００９】
以上、図１〜図４の構成において次に動作を説明する。図１に示すように、空気供給口１１は第１のフレーム１４に取付けられており、空気供給口１１は第１のフレーム１４の外側において空気供給ホースに接続される第１の接続端と、第１のフレーム１４の内側において空気吹出ヘッドの空気供給側の開口部に嵌合する第２の接続端を有し、その中間は中空構造となっている。したがって、空気供給ホースから温調空気が空気供給口１１の第１の接続端に供給されると、温調空気は空気供給口１１の第１の接続端から第２の接続端に抜けて、空気吹出ヘッドの空気供給側の開口部に送出される。
空気吹出ヘッド１は円筒形状であり、その円筒の一方の端は空気供給側の開口部となり、他方の端は閉じられている。また円筒の軸と平行に円筒の一部はスリット状の開口部を有しており、これが空気吹出側の開口部となっている。したがって、空気供給側の開口部に送出された温調空気は空気吹出側の開口部から吹出される。吹出された温調空気は被温調物９に吹き付けられ熱を伝え被温調物９を加温する。
【００１０】
図３に示すように、空気吹出ヘッド１と空気供給口１１はテーパー穴１８の部分において嵌合しており（圧接しており）、両者の接続には特別な接続手段は用いられていない。空気吹出ヘッド１は、その軸方向に空気供給口１１のテーパー穴１８部分に向かう力が作用しており、空気吹出ヘッド１と空気供給口１１は確実に嵌合しており、供給される温調空気はこの部分において洩れるようなことはない。
このテーパー穴１８部分に向かう空気吹出ヘッド１に働く力は、図４に示すように、第２のセットカラー３と第２のアーム８の間に設けられた圧縮バネ６によって得られる。
すなわち、空気吹出ヘッド１は第１，２のアーム７，８に開けられた空気吹出ヘッド１の外径より僅かに大きな内径の丸穴を貫通しており、空気吹出ヘッド１の軸と平行方向に移動可能なように第１，２のアーム７，８によって支持されている。そして空気吹出ヘッド１に設けられ所定の位置で固定されている第２のセットカラー３と第２のアーム８が押し開かれるように圧縮バネ６は力を作用する。そこで第２のアーム８に対して第２のセットカラー３が遠ざかる方向に空気吹出ヘッド１が移動する力が働くこととなる。
【００１１】
この空気吹出ヘッド１の移動は空気吹出ヘッド１に設けられ所定の位置で固定されている第１のセットカラー２が第１のアームの側面に当接することによって止められ、むやみに空気吹出ヘッド１が移動することを制限している。
第１，２のセットカラー２，３には、空気吹出ヘッド１におけるそれらの位置を調節する機構が付属している。第１の固定ネジ１９を緩めると、第１のセットカラーは空気吹出ヘッド１上をその軸と平行方向に移動することができ、適当な位置に調節した後で第１の固定ネジ１９を締めて第１のセットカラーを空気吹出ヘッド１上に固定することができる。また、第２の固定ネジ２０を緩めると、第２のセットカラーは空気吹出ヘッド１上をその軸と平行方向に移動することができ、適当な位置に調節した後で第２の固定ネジ２０を締めて第２のセットカラーを空気吹出ヘッド１上に固定することができる。
【００１２】
第１のセットカラー２の位置を調節することにより、空気吹出ヘッド１と空気供給口１１とが必要以上の力で嵌合し、損傷したり容易に抜けなくなることを防ぐことができる。また空気吹出ヘッド１が第１，２のアーム７，８から抜け落ちることを防ぐことができる。また第２のセットカラー３の位置を調節することにより、圧縮バネ６によって空気吹出ヘッド１に作用する力を調節することができる。
以上のように空気吹出ヘッド１と空気供給口１１は、テーパー穴１８の部分において圧縮バネ６の力が働き、あるいは第１のセットカラー２によって制限された圧縮バネ６の力が働き、嵌合する。
【００１３】
空気吹出ヘッド１は、軸と平行方向に移動可能であると同時に、軸の周りを回転可能に構成されている。図４に示すように、空気吹出ヘッド１はボールプランジャー１０によって第２のアーム８に半固定の状態で固定されており、通常においては回転することはないが、人手等によって所定以上の回転力を作用した場合には回転させることができる。
空気吹出ヘッド１には、軸と平行方向に設けられたスリット状の空気吹出側の開口部を有しており、回転によりこの開口部から吹き出す温調空気の方向を適正に調節することができる。
なお、空気吹出ヘッド１はテーパ穴１８において空気供給口１１と嵌合しており、テーパ穴１８における摩擦力によって空気吹出ヘッド１は保持されている。したがってボールプランジャー１０が無い場合においても、通常の振動等による外力によって回転等を起こすことはない。
【００１４】
図１に示すように、第１，２のアーム７，８はステー１２によって互いに固定されており、一体のアームとして動作を行う。第１，２のアーム７，８の空気吹出ヘッド１を支持する部分の反対側は支点軸１３の外径よりは僅かに大きい穴が開けられており、第１，２のフレーム１４，１５に固定された支点軸１３はその穴を貫通して、第１，２のアーム７，８を回動自在に支持している。
そして第１，２のアーム７，８が支点軸１３の軸と平行方向に移動しないように、第１，２のアーム７，８の側面は支点軸１３に固定された第３，４のセットカラー４，５によって当接され位置決めされている。
したがって、空気吹出ヘッド１をその軸と平行方向に圧縮バネ６が負勢する力に抗して移動して、図３に示す空気供給口１１のテーパー穴１８から空気吹出ヘッド１の空気供給側の開口部を外すと、第１，２のアーム７，８は支点軸１３の周りに回転することができる。
【００１５】
図２に示すように、被温調物９は、清掃を行うために加工機械本体から引き出したいような場合に矢印の方向に移動することができるが、温調を行う位置（作動位置）においては空気吹出ヘッド１があるため移動不可能となっている。しかし温調を停止した場合は、上記にようにして第１，２のアーム７，８を回転し２点鎖線で示す位置（退避位置）に移動すると、空気吹出ヘッド１が妨げとならず被温調物９を矢印の方向に移動することができる。
図２に示すストッパー１６は、退避位置において第１，２のアーム７，８の回転を制限して停止させるとともに、作動位置において第１，２のアーム７，８の回転を制限して空気吹出ヘッド１の空気供給側の開口部と空気供給口１１のテーパー穴１８とを嵌合させるための位置合わせが容易に行えるようにする働きがある。ストッパー１６は図２に示すように、作動位置における第１，２のアーム７，８の停止位置を微調整可能なようにアームの側面に当接する調節ネジが設けられている。
【００１６】
以上本発明について実施例に基づき説明を行ったが、本発明はこの実施例に限定されるものではなく本発明の技術思想に基づき様々な形態で応用することができ、それらも本発明に含まれることはいうまでもないことである。
例えば、被温調物の例としてインキ壺を挙げたが、インキ壺に限らず、加熱ローラ、塗工液のディスペンサ、グラビアシリンダー等であても同様に実施できる。また加熱に限らず冷却したい場合にも、例えば冷却ローラ、加熱されたウェブの送風冷却等に適用できることは明らかである。
【００１７】
【発明の効果】
以上のように本発明によれば、空気の吹き出し方向の変更や、空気吹出ヘッドの移動が容易な空気吹出装置が提供される。
また本発明の空気吹出装置によれば、アームは空気吹出ヘッドを軸方向に移動可能に支持し、空気吹出ヘッドには第１のセットカラーと第２のセットカラーが設けられている。アームと第２のセットカラーの間に設けられたバネにより空気吹出ヘッドは軸方向に負勢され、空気吹出ヘッドは空気供給口方向に移動するが、第１のセットカラーはアームの側面に当接し軸方向の移動を制限する。したがって、空気吹出ヘッドの空気供給側の開口部と空気供給口の第２の接続端はバネに負勢されたことにより確実に嵌合することができるとともに、軸方向の移動は制限されているから過剰な力が両者の間に働くことを防ぐことができる。
またアームは作動位置と退避位置に回動可能にフレームによって支持されており、人手によって空気供給ヘッドはバネの負勢に対抗して軸方向に移動され嵌合が外され、空気供給ヘッドを作動位置から退避位置に回動することができる。
【００１８】
また本発明の空気吹出装置によれば、空気吹出ヘッドに設けられた第１のセットカラーと第２のセットカラーの位置を調節する構造を有しており、第１のセットカラーの位置を調節することによって空気吹出ヘッドの移動を制限する範囲を調節することができ、第２のセットカラーの位置を調節することによってバネによって負勢する力を調節することができ、空気吹出ヘッドの空気供給側の開口部と空気供給口の第２の接続端を嵌合する力を適正にすることができる。
また本発明の空気吹出装置によれば、アームによって空気吹出ヘッドを支持する部分にボールプランジャーが設けられており、空気吹出ヘッドは軸と平行方向に移動可能であるのみならず、軸の周りに回転可能に支持されている。したがって、空気吹出方向は人手のみによって容易に調節することができる。
また本発明の空気吹出装置によれば、作動位置においてアームの移動を停止するストッパーを有しており、空気吹出ヘッドの空気供給側の開口部と空気供給口の第２の接続端の嵌合を着脱する作業において、アームをストッパーに押しつけることによりアームが位置決めされ固定される。したがって、着脱作業は容易である。
【図面の簡単な説明】
【図１】本発明の空気吹出装置の正面図である。
【図２】本発明の空気吹出装置の側面図である。
【図３】空気吹出ヘッドの空気供給側の開口部と空気供給口の接続部の構造を示す図である。
【図４】第２のセットカラー、第２のアーム、圧縮バネ、およびボールプランジャー等で構成される部分を示す図である。
【符号の説明】
１  空気吹出ヘッド
２  第１のセットカラー
３  第２のセットカラー
４  第３のセットカラー
５  第４のセットカラー
６  圧縮バネ
７  第１のアーム
８  第２のアーム
９  被温調物
１０  ボールプランジャー
１１  空気供給口
１２  ステー
１３  支点軸
１４  第１のフレーム
１５  第２のフレーム
１６  ストッパー
１７  温調ポイント
１８  テーパー穴
１９  第１の固定ネジ
２０  第２の固定ネジ
【図１】
0003605429.tif 000002
【図２】
0003605429.tif 000003
【図３】
0003605429.tif 000004
【図４】
0003605429.tif 000005